(57)【特許請求の範囲】
【請求項１】
少なくとも記憶装置，演算処理装置を備えたコンピュータにおいて実行される図面作成プログラムであって、
前記記憶装置は、作成済みの線の情報が表された線情報テーブルと、作成済みの内又は外寸法線の情報が表された寸法線情報テーブルと、入力装置から入力される入力線の開始点，終了点および前記作成済みの線との交点が表された作業テーブルとを記憶しており、
前記演算処理装置は、外寸法線の作成中、前記作業テーブルから前記開始点，終了点および複数の交点を抽出し、前記開始点，終了点および複数の交点の関係に基づき、複数の交点から外寸法線を表示する為に必要な外寸法線の情報として外寸法線の基準とする２つの交点を決定する第１ステップと、
前記決定した外寸法線の情報，前記線情報テーブルから抽出した線の情報および前記寸法線情報テーブルから抽出した内又は外寸法線の情報に基づき、線および内又は外寸法線を表示装置に表示する第２ステップと
を実行する図面作成プログラム。
【請求項２】
前記第１ステップは、前記演算処理装置が、外寸法線の作成中、前記作業テーブルから前記開始点，終了点および複数の交点を抽出するステップと、
前記開始点および終了点に最も近い交点をそれぞれ選択し、外寸法線の基準とする２つの交点として決定するステップと
を有することを特徴とする請求項１記載の図形作成プログラム。
【請求項３】
駐車違反の取締に必要な情報の入力を支援する駐車違反取締支援装置であって、
ユーザから情報の入力を受け付ける入力装置と、
作成済みの線の情報が表された線情報テーブルと、
作成済みの内又は外寸法線の情報が表された寸法線情報テーブルと、
前記入力装置から入力される入力線の開始点，終了点および前記作成済みの線との交点が表された作業テーブルと、
前記入力装置から入力される情報に基づき図面作成処理を行い、その図面作成処理の結果を前記線情報テーブル，寸法線情報テーブル及び作業テーブルに反映させる図面作成処理部と、
線および内又は外寸法線を表示する表示装置とを備え、
前記図面作成処理部は、外寸法線の作成中、前記作業テーブルから前記開始点，終了点および複数の交点を抽出し、前記開始点，終了点および複数の交点の関係に基づき、複数の交点から外寸法線を表示する為に必要な外寸法線の情報として外寸法線の基準とする２つの交点を決定し、
前記決定した外寸法線の情報，前記線情報テーブルから抽出した線の情報および前記寸法線情報テーブルから抽出した内又は外寸法線の情報に基づき、線および内又は外寸法線を前記表示装置に表示することを特徴とする駐車違反取締支援装置。
【請求項４】
前記外寸法線の情報は、開始点，終了点を含み、寸法を含まないことを特徴とする請求項３記載の駐車違反取締支援装置。
【発明の詳細な説明】
【技術分野】
【０００１】
本発明は、図面作成プログラムおよび駐車違反取締支援装置に係り、特に寸法線を作成する図面作成プログラムおよび駐車違反取締支援装置に関する。
【背景技術】
【０００２】
近年の違法駐車の常態化に対処する為、駐車違反の取締を民間委託できるように道路交通法の改正が行われた。この道路交通法の改正では、放置された違法駐車車両があるという事実の確認と、事実を確認した旨を記載した標章の取り付けとを、民間に委託できることとしている。
【０００３】
放置された違法駐車車両があるという事実の確認は、違法駐車車両の車番，車名，違反態様・罰条，違法駐車車両の存在する住所，違法駐車車両の状態を表す見取図などを紙やＰＤＡ（個人向け携帯情報端末）等の処理端末に記録することにより行われる。
【０００４】
特許文献１には、駐車違反車両の取締業務、交通違反者の取締業務を素早く正確に行なうことを目的とした携帯用端末装置が開示されている。
【特許文献１】特開平６−５２１８６号公報
【発明の開示】
【発明が解決しようとする課題】
【０００５】
上記したように、放置された違法駐車車両があるという事実の確認は、違法駐車車両の車番，車名，違反態様・罰条，違法駐車車両の存在する住所，違法駐車車両の状態を表す見取図など、多くの項目を記録しなければならない。その一方で、違法駐車の取締に当たる民間の駐車監視員資格者は警察官でない為、放置された違法駐車車両があるという事実の確認に時間が掛かることが予想される。
【０００６】
しかしながら、駐車違反の取締は例えば放置された違法駐車車両があるという事実の確認や事実を確認した旨を記載した標章の取り付け等を行っている最中に違法駐車車両の持ち主が戻ってくると、トラブルが生じ易いという問題があった。
【０００７】
そこで、放置された違法駐車車両があるという事実の確認を短時間に行えるように、違法駐車車両の車番，車名，違反態様・罰条，違法駐車車両の存在する住所，違法駐車車両の状態を表す見取図などの記録（入力）を支援する機能のあるＰＤＡ等の処理端末が要望されていた。特に違法駐車車両の状態を表す見取図は、道路，車両，標識，内又は外寸法線などを手書きで入力又は配置する必要があるため、入力を支援する図面作成機能が要望されていた。
【０００８】
ところで、違法駐車車両の状態を表す見取図は裁判等で利用されるため、内又は外寸法線が重要な意味を持つ。この為、違法駐車車両の状態を表す見取図は内又は外寸法線を多く含むことが多い。したがって、内又は外寸法線の入力を支援する図面作成機能は、放置された違法駐車車両があるという事実の確認に必要な時間の時間削減に効果があることが期待される。
【０００９】
本発明は、上記の点に鑑みなされたもので、外寸法線の入力を支援する図面作成プログラムおよび駐車違反取締支援装置を提供することを目的とする。
【課題を解決するための手段】
【００１０】
上記課題を解決するため、本発明は、少なくとも記憶装置，演算処理装置を備えたコンピュータにおいて実行される図面作成プログラムであって、前記記憶装置は、作成済みの線の情報が表された線情報テーブルと、作成済みの内又は外寸法線の情報が表された寸法線情報テーブルと、入力装置から入力される入力線の開始点，終了点および前記作成済みの線との交点が表された作業テーブルとを記憶しており、前記演算処理装置は、外寸法線の作成中、前記作業テーブルから前記開始点，終了点および複数の交点を抽出し、前記開始点，終了点および複数の交点の関係に基づき、複数の交点から外寸法線を表示する為に必要な外寸法線の情報として外寸法線の基準とする２つの交点を決定する第１ステップと、前記決定した外寸法線の情報，前記線情報テーブルから抽出した線の情報および前記寸法線情報テーブルから抽出した内又は外寸法線の情報に基づき、線および内又は外寸法線を表示装置に表示する第２ステップとを実行する図面作成プログラムであることを特徴とする。
【００１１】
また、上記課題を解決するため、本発明は、駐車違反の取締に必要な情報の入力を支援する駐車違反取締支援装置であって、ユーザから情報の入力を受け付ける入力装置と、作成済みの線の情報が表された線情報テーブルと、作成済みの内又は外寸法線の情報が表された寸法線情報テーブルと、前記入力装置から入力される入力線の開始点，終了点および前記作成済みの線との交点が表された作業テーブルと、前記入力装置から入力される情報に基づき図面作成処理を行い、その図面作成処理の結果を前記線情報テーブル，寸法線情報テーブル及び作業テーブルに反映させる図面作成処理部と、線および内又は外寸法線を表示する表示装置とを備え、前記図面作成処理部は、外寸法線の作成中、前記作業テーブルから前記開始点，終了点および複数の交点を抽出し、前記開始点，終了点および複数の交点の関係に基づき、複数の交点から外寸法線を表示する為に必要な外寸法線の情報として外寸法線の基準とする２つの交点を決定し、前記決定した外寸法線の情報，前記線情報テーブルから抽出した線の情報および前記寸法線情報テーブルから抽出した内又は外寸法線の情報に基づき、線および内又は外寸法線を前記表示装置に表示することを特徴とする。
【００１２】
本発明では、外寸法線の作成中、作業テーブルから入力線の開始点，終了点および交点を抽出し、開始点，終了点および交点の関係に基づき、外寸法線の情報を決定し、決定した外寸法線の情報，線情報テーブルから抽出した線の情報および寸法線情報テーブルから抽出した内又は外寸法線の情報に基づき、線および内又は外寸法線を表示装置に表示することにより、外寸法線の入力を簡易且つ迅速に行なうことができる。
【発明の効果】
【００１３】
上述の如く、本発明によれば、外寸法線の入力を支援する図面作成プログラムおよび駐車違反取締支援装置を提供可能である。
【発明を実施するための最良の形態】
【００１４】
次に、本発明を実施するための最良の形態を、以下の実施例に基づき図面を参照しつつ説明していく。なお、本実施例では処理端末が駐車違反取締支援装置である例を説明していくが、駐車違反取締支援装置に限るものではない。
【００１５】
図１は、処理端末の一例の構成図である。処理端末は、それぞれバスＢで相互に接続されている入力装置１１，出力装置１２，ドライブ装置１３，補助記憶装置１４，メモリ装置１５，演算処理装置１６およびインターフェース装置１７で構成される。
【００１６】
入力装置１１はキーボード，マウス，タッチパネル等で構成され、各種情報を入力するために用いられる。出力装置１２は液晶等のディスプレイ装置で構成され、各種ウインドウやデータ等を表示するために用いられる。インターフェース装置１７は、モデム，ＬＡＮカード，ブルートゥース（Bluetooth）カード，ＵＳＢカード等で構成されており、所定のネットワークや他のコンピュータ端末へ接続する為に用いられる。
【００１７】
本発明の図面作成プログラムは、処理端末を制御する各種プログラムの少なくとも一部である。図面作成プログラムは、例えば記録媒体１８の配布やネットワークからのダウンロードなどによって提供される。図面作成プログラムを記録した記録媒体１８は、例えばＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００１８】
また、図面作成プログラムを記録した記録媒体１８がドライブ装置１３にセットされると、図面作成プログラムは記録媒体１８からドライブ装置１３を介して補助記憶装置１４にインストールされる。ネットワークからダウンロードされた図面作成プログラムは、インターフェース装置１７を介して補助記憶装置１４にインストールされる。
【００１９】
処理端末は、インストールされた図面作成プログラムを格納すると共に、必要なファイル，データ等を格納する。メモリ装置１５は、コンピュータの起動時に補助記憶装置１４から図面作成プログラムを読み出して格納する。そして、演算処理装置１６はメモリ装置１５に格納された図面作成プログラムに従って、後述する各種処理を実現している。
【００２０】
処理端末は、例えば図２のようなタブレットタイプ又は図３のようなＰＤＡタイプにより実現される。図２はタブレットタイプにより実現した処理端末の模式図である。図３はＰＤＡタイプにより実現した処理端末の模式図である。タブレットタイプの処理端末２１は画面の大きさを重視している。また、ＰＤＡタイプの処理端末３１は携帯性を重視している。
【００２１】
タブレットタイプの処理端末２１およびＰＤＡタイプの処理端末３１は、入力装置１１としてのタッチパネルおよび出力装置１２としての液晶画面を含む構成である。タブレットタイプの処理端末２１およびＰＤＡタイプの処理端末３１のタッチパネルは液晶画面上に重ねて配置される。例えば違法駐車の取締に当たる民間の駐車監視員資格者は、放置された違法駐車車両があるという事実の確認にタブレットタイプの処理端末２１またはＰＤＡタイプの処理端末３１を利用する。
【００２２】
具体的に、駐車監視員資格者は、違法駐車車両の車番，車名，違反態様・罰条，違法駐車車両の存在する住所，違法駐車車両の状態を表す見取図などをタブレットタイプの処理端末２１またはＰＤＡタイプの処理端末３１に入力することにより放置された違法駐車車両があるという事実の確認を行なう。
【００２３】
タブレットタイプの処理端末２１またはＰＤＡタイプの処理端末３１は、セキュリティ機能，図面作成機能，住所入力機能，車番認識・入力機能，画像機能，印刷・印紙管理機能，複数入力・情報修正機能などを有する。駐車監視員資格者は、上記した各種機能を利用して放置された違法駐車車両があるという事実の確認を行ったあと、事実を確認した旨を記載した標章を印刷する。そして、駐車監視員資格者は印刷した標章を違法駐車車両に取り付ける。
【００２４】
タブレットタイプの処理端末２１またはＰＤＡタイプの処理端末３１は、上記した各種機能を利用するため、撮影機能と印刷機能とが必要である。例えばタブレットタイプの処理端末２１は、本体分離型の撮影部を設ける。また、ＰＤＡタイプの処理端末３１は本体内蔵型の撮影部を設ける。また、標章を印刷するため、タブレットタイプの処理端末２１又はＰＤＡタイプの処理端末３１は例えば携帯プリンタ等の印刷装置とブルートゥースにより通信可能とする。
【００２５】
上記した各種機能のうち、図面作成機能は違法駐車車両の状態を表す見取図の入力を支援する機能である。図面作成機能は、道路，車両，標識，内又は外寸法線などの手書きによる入力又は配置を支援する。特に違法駐車車両の状態を表す見取図は裁判等で利用されるため、内又は外寸法線が重要な意味を持つ。この為、違法駐車車両の状態を表す見取図は内又は外寸法線を多く含むことが多い。したがって、タブレットタイプの処理端末２１又はＰＤＡタイプの処理端末３１の図面作成機能には、内又は外寸法線の入力を支援する工夫が盛り込まれている。
【００２６】
図４は、図面作成機能を使用するときにタブレットタイプの処理端末２１の液晶画面に表示される画面４０の一例のイメージ図である。以下の説明では、タブレットタイプの処理端末２１を例に説明していくが、ＰＤＡタイプの処理端末３１であっても基本的に同様である。
【００２７】
画面４０には、テンプレート選択欄４１，サムネイル欄４２，見取図表示欄４３，部品選択欄４４，操作決定欄４５，矢印方向決定欄４６，色決定欄４７，太さ決定欄４８，車方向回転指示欄４９，方位回転指示欄５０，文字列追加指示欄５１，数字追加欄５２，図面全体移動指示欄５３，手書きメモ欄５４，複製・削除欄５５が含まれる。
【００２８】
テンプレート選択欄４１には直線道路，Ｔ字路，交差点，二重駐車など、見取図に良く利用されるテンプレートの種類が表示される。テンプレート選択欄４１からテンプレートの種類が選択されると、選択されたテンプレートの種類に含まれるテンプレートのサムネイルが、サムネイル欄４２に表示される。図４の画面４０では、テンプレートの種類として直線道路が選択されている。
【００２９】
例えば駐車監視員資格者によりサムネイル欄４２からテンプレートのサムネイルが選択されると、そのサムネイルに対応するテンプレートが見取図表示欄４３に表示される。駐車監視員資格者により部品選択欄４４から部品が選択されると、その部品が見取図表示欄４３に表示される。部品は、例えば複数の線の組み合わせにより作成されている。
【００３０】
見取図表示欄４３に表示された車部品は、車方向回転指示欄４９から指示することで任意の方向に回転させることができる。見取図表示欄４３に表示された方位は、方位回転指示欄５０から指示することで任意の方向に回転させることができる。
【００３１】
駐車監視員資格者は、これから行いたい操作（移動線の作成，実線の作成，内又は外寸法線の作成，長方形の作成，円線の作成，円弓線の作成，書込線の作成など）を操作決定欄４５から選択し、スタイラスペン等を利用して見取図表示欄４３に直接入力する。見取図表示欄４３に直接入力される線又は入力済みの線の矢印方向，色，太さは、矢印方向決定欄４６，色決定欄４７，太さ決定欄４８から指示できる。
【００３２】
また、見取図表示欄４３に入力する文字列は文字列追加指示欄５１から指示できる。見取図表示欄４３に入力する数字は数字追加欄５２から指示できる。見取図表示欄４３に入力された図面全体は、図面全体移動指示欄５３から指示することで任意の方向に移動させることができる。また、駐車監視員資格者は手書きメモ欄５４に手書きメモを直接入力できる。複製・削除欄５５から指示することで、駐車監視員資格者は見取図表示欄４３に入力済みの線，部品などを複製又は削除できる。
【００３３】
上記したように、処理端末２１の図面作成機能には、内又は外寸法線の入力を支援する工夫が盛り込まれている。特に外寸法線は２本の直線から成るため、位置合わせや長さ合わせが煩雑となる。そこで、本発明による処理端末２１は以下のように外寸法線の入力を支援する。
【００３４】
例えば駐車監視員資格者が操作決定欄４５から寸法線，矢印方向決定欄４６から外方向の矢印が選択された状態で、スタイラスペン等を利用して見取図表示欄４３に線を入力すると、処理端末２１は外寸法線であると判断して後述のフローチャートに示す手順で外寸法線を見取図表示欄４３に表示する。
【実施例１】
【００３５】
図５は外寸法線作成処理の手順を表した一例のフローチャート（１／２）である。図６は外寸法線作成処理の手順を表した一例のフローチャート（２／２）である。処理端末２１の演算処理装置１６は、画面４０上で行われるスタイラスペン等による入力を入力装置１１としてのタッチパネルから受信する。
【００３６】
演算処理装置１６は、操作決定欄４５から寸法線，矢印方向決定欄４６から外方向の矢印が選択された状態で、スタイラスペン等を利用して見取図表示欄４３に線の入力が開始されたと判定するまでステップＳ１１の処理を繰り返す。演算処理装置１６は、操作決定欄４５から寸法線，矢印方向決定欄４６から外方向の矢印が選択された状態で、スタイラスペン等を利用して見取図表示欄４３に線の入力が開始されたと判定すると（Ｓ１１においてＹＥＳ）、ステップＳ１２に進み、入力線の開始点を図７のような作業テーブルに記憶する。
【００３７】
図７は、作業テーブルの一例の構成図である。作業テーブルは、開始点の座標，終了点の座標，作成済み線と入力線との交点の座標が格納される。この段階では、作業テーブルに開始点の座標が格納されている。
【００３８】
ステップＳ１３に進み、演算処理装置１６は入力線と作成済み線との交点が増加したか否かを判定する。入力線と作成済み線との交点が増加したか否かの判定は、作業テーブルの開始点および終了点を使用する。この段階では、作業テーブルに終了点が格納されていないため、入力線と作成済み線との交点が増加していない（Ｓ１３においてＮＯ）と判定される。演算処理装置１６は、入力線と作成済み線との交点が増加していない（Ｓ１３においてＮＯ）と判定された為、ステップＳ１５に進む。
【００３９】
ステップＳ１５では、演算処理装置１６が、入力線と作成済み線との交点が２点以上か否かを判定する。入力線と作成済み線との交点が２点以上か否かの判定は、作業テーブルの交点を使用する。この段階では、作業テーブルに交点が格納されていないため、入力線と作成済み線との交点が２点以上でない（Ｓ１５においてＮＯ）と判定される。演算処理装置１６は、入力線と作成済み線との交点が２点以上でない（Ｓ１５においてＮＯ）と判定された為、ステップＳ１８に進む。
【００４０】
ステップＳ１８では、演算処理装置１６が、スタイラスペン等により現在指示されている現在点を現時点の終了点として作業テーブルに記憶する。ステップＳ１９に進み、演算処理装置１６は見取図表示欄４３への線の入力が終了したか否かを判定する。見取図表示欄４３への線の入力が終了したか否かは、入力装置１１としてのタッチパネルからスタイラスペン等による入力を継続して受信しているか否かにより判定できる。ここでは、見取図表示欄４３への線の入力が終了していない（Ｓ１９においてＮＯ）と判定されたものとする。
【００４１】
ステップＳ１３に戻り、演算処理装置１６は入力線と作成済み線との交点が増加したか否かを判定する。この段階では、作業テーブルに終了点が格納されているため、入力線と作成済み線との交点が増加したか否かを例えば次のように判定する。
【００４２】
まず、演算処理装置１６は、図７の作業テーブルに格納されている入力線の開始点および終了点と図８のような線情報テーブルに格納されている作成済み線の開始点および終了点とを抽出する。図８は、線情報テーブルの一例の構成図である。線情報テーブルは、開始点の座標，終了点の座標，線種の情報，矢印方向の情報，色情報，太さ情報が格納されている。演算処理装置１６は、入力線の開始点および終了点と、作成済み線の開始点および終了点とを比較し、入力線と作成済み線との交点の座標および交点の数を算出する。
【００４３】
演算処理装置１６は、算出した入力線と作成済み線との交点の数が図７の作業テーブルに格納されている交点の数より増加していれば（Ｓ１３においてＹＥＳ）、ステップＳ１４に進み、新たな交点の座標を図７の作業テーブルの交点に記憶したあと、ステップＳ１５に進む。即ち、入力線の長さが延びて作成済み線との交点が増加する度に、その交点の座標が作業テーブルの交点に記憶されていく。
【００４４】
なお、算出した入力線と作成済み線との交点の数が図７の作業テーブルに格納されている交点の数より増加していなければ（Ｓ１３においてＮＯ）、演算処理装置１６はステップＳ１５に進む。
【００４５】
ステップＳ１５では、演算処理装置１６が、入力線と作成済み線との交点が２点以上か否かを判定する。入力線と作成済み線との交点が２点以上と判定すれば（Ｓ１５においてＹＥＳ）、演算処理装置１６はステップＳ１６に進み、複数の交点の中から入力線の開始点および終了点に最も近い交点をそれぞれ選択する。
【００４６】
図９は、複数の交点の中から入力線の開始点および終了点に最も近い交点をそれぞれ選択する処理のイメージ図である。図９のイメージ図では、作成済み線９１ａ〜９１ｃが横方向に作成されており、入力線９２が開始点９３から終了点９４の方向に延びている。作成済み線９１ａ〜９１ｃと入力線９２との間には、交点９５ａ〜９５ｃが存在する。
【００４７】
図9のイメージ図の場合、演算処理装置１６は、入力線の開始点９３に最も近い交点９５ａを選択すると共に、終了点９４に最も近い交点９５ｃを選択する。図９のイメージ図では交点が３つの例を示したが、４つ以上の場合も同様である。
【００４８】
ステップＳ１６に続いてステップＳ１７に進み、演算処理装置１７はステップＳ１６で選択した交点を基準として外寸法線を見取図表示欄４３に仮表示する。図１０は、選択した交点を基準として外寸法線を仮表示する処理のイメージ図である。図１０のイメージ図では、ステップＳ１６で選択された交点９５ａ，９５ｃを基準として外寸法線が見取図表示欄４３に表示されている。なお、外寸法線を仮表示する為に必要な情報は、例えば作業テーブルに格納しておく。
【００４９】
ステップＳ１７に続いてステップＳ１８に進み、演算処理装置１６はスタイラスペン等により現在指示されている現在点を現時点の終了点として作業テーブルに記憶する。ステップＳ１９に進み、演算処理装置１６は見取図表示欄４３への線の入力が終了したか否かを判定する。見取図表示欄４３への線の入力が終了していないと判定すると（Ｓ１９においてＮＯ）、演算処理装置１６は再びステップＳ１３〜Ｓ１８の処理を繰り返す。
【００５０】
見取図表示欄４３への線の入力が終了したと判定すると（Ｓ１９においてＹＥＳ）、演算処理装置１６はステップＳ２０に進み、作業テーブルから外寸法線を仮表示する為に必要な情報を抽出し、外寸法線を表示する為に必要な情報に変換したあと、一組の外寸法線を構成する2本の直線の各々に対して所定の線IDを付与し、寸法線情報テーブルに記憶する。寸法線テーブルは、図８の線情報テーブルと同様であるため、図示および説明を省略する。
【００５１】
以上、実施例１によれば、例えばスタイラスペン等による１回の操作により、２本の直線から成る外寸法線の作成を簡易かつ迅速に行なうことができる。
【実施例２】
【００５２】
実施例１では、入力線と作成済み線との交点が２点以上であるとき、ステップＳ１６において、複数の交点の中から入力線の開始点および終了点に最も近い交点をそれぞれ選択しているが、図１１に示す手順により交点を選択するようにしてもよい。
【００５３】
図１１は、開始点および終了点の中心点からの距離差が同程度の交点を選択する処理の一例のフローチャートである。図１１のフローチャートは図５，図６のフローチャートのステップＳ１６と置き換えて利用される。
【００５４】
ステップＳ３１に進み、演算処理装置１６は入力線の開始点および終了点から入力線の中心点を算出する。ステップＳ３２に進み、演算処理装置１６は交点ごとに中心点との距離差を算出する。ステップＳ３３に進み、演算処理装置１６は中心点との距離差が同程度の交点を選択する。
【００５５】
図１２は、中心点との距離差が同程度の交点を選択する処理のイメージ図である。図１２のイメージ図では、作成済み線１２１ａ〜１２１ｃが横方向に作成されており、入力線１２２が開始点１２３から終了点１２４の方向に延びている。作成済み線１２１ａ〜１２１ｃと入力線１２２との間には、交点１２５ａ〜１２５ｃが存在し、今、交点１２５ｂと１２５ｃを基準とした外寸法線を引くものとする。また、交点１２５ａと１２５ｂとのギャップが狭く、当該ギャップ内を入力線の開始点として指定することが困難であるものとする。
【００５６】
図１２のイメージ図の場合、演算処理装置１６は、入力線の中心点１２６を算出し、交点１２５ａ〜１２５ｃごとに中心点１２６との距離差を算出する。そして、演算処理装置１６は中心点１２６との距離差が同程度の交点１２５ｂ，１２５ｃを選択する。図１２のイメージ図では交点が３つの例を示したが、４つ以上の場合も同様である。
【００５７】
そして、図５のステップＳ１７に進み、演算処理装置１７はステップＳ３３で選択した交点を基準として外寸法線を見取図表示欄４３に仮表示する。図１３は、選択した交点を基準として外寸法線を仮表示する処理のイメージ図である。図１３のイメージ図では、ステップＳ３３で選択された交点１２５ｂ，１２５ｃを基準として外寸法線が見取図表示欄４３に表示されている。
【００５８】
以上、実施例２によれば、作成済み線の密度が高く、入力線の開始点若しくは終了点を指定しづらい状況であっても、例えばスタイラスペン等による１回の操作により、２本の直線から成る外寸法線の作成を簡易かつ迅速に行なうことができる。
【００５９】
本発明は、以下に記載する付記のような構成が考えられる。
（付記１）
少なくとも記憶装置，演算処理装置を備えたコンピュータにおいて実行される図面作成プログラムであって、
前記記憶装置は、作成済みの線の情報が表された線情報テーブルと、作成済みの内又は外寸法線の情報が表された寸法線情報テーブルと、入力装置から入力される入力線の開始点，終了点および前記作成済みの線との交点が表された作業テーブルとを記憶しており、
前記演算処理装置は、外寸法線の作成中、前記作業テーブルから前記開始点，終了点および交点を抽出し、前記開始点，終了点および交点の関係に基づき、外寸法線の情報を決定する第１ステップと、
前記決定した外寸法線の情報，前記線情報テーブルから抽出した線の情報および前記寸法線情報テーブルから抽出した内又は外寸法線の情報に基づき、線および内又は外寸法線を表示装置に表示する第２ステップと
を実行する図面作成プログラム。
（付記２）
前記第１ステップは、前記演算処理装置が、外寸法線の作成中、前記作業テーブルから前記開始点，終了点および交点を抽出するステップと、
前記開始点および終了点に最も近い交点をそれぞれ選択し、選択した交点を基準として外寸法線の情報を決定するステップと
を有することを特徴とする付記１記載の図形作成プログラム。
（付記３）
前記第１ステップは、前記演算処理装置が、外寸法線の作成中、前記作業テーブルから前記開始点，終了点および交点を抽出するステップと、
前記開始点および終了点から前記入力線の中心点を算出するステップと、
前記中心点との距離差が同程度の交点を選択し、選択した交点を基準として外寸法線の情報を決定するステップと
を有することを特徴とする付記１記載の図形作成プログラム。
（付記４）
前記第２ステップは、作成中の外寸法線が作成済みの外寸法線と視覚的に異なるように前記表示装置に表示することを特徴とする付記１乃至３何れか一項記載の図形作成プログラム。
（付記５）
駐車違反の取締に必要な情報の入力を支援する駐車違反取締支援装置であって、
ユーザから情報の入力を受け付ける入力装置と、
作成済みの線の情報が表された線情報テーブルと、
作成済みの内又は外寸法線の情報が表された寸法線情報テーブルと、
前記入力装置から入力される入力線の開始点，終了点および前記作成済みの線との交点が表された作業テーブルと、
前記入力装置から入力される情報に基づき図面作成処理を行い、その図面作成処理の結果を前記線情報テーブル，寸法線情報テーブル及び作業テーブルに反映させる図面作成処理部と、
線および内又は外寸法線を表示する表示装置とを備え、
前記図面作成処理部は、外寸法線の作成中、前記作業テーブルから前記開始点，終了点および交点を抽出し、前記開始点，終了点および交点の関係に基づき、外寸法線の情報を決定し、
前記決定した外寸法線の情報，前記線情報テーブルから抽出した線の情報および前記寸法線情報テーブルから抽出した内又は外寸法線の情報に基づき、線および内又は外寸法線を前記表示装置に表示することを特徴とする駐車違反取締支援装置。
【００６０】
本発明は、具体的に開示された実施例に限定されるものではなく、特許請求の範囲から逸脱することなく、種々の変形や変更が可能である。
【図面の簡単な説明】
【００６１】
【図１】処理端末の一例の構成図である。
【図２】タブレットタイプにより実現した処理端末の模式図である。
【図３】ＰＤＡタイプにより実現した処理端末の模式図である。
【図４】図面作成機能を使用するときにタブレットタイプの処理端末２１の液晶画面に表示される画面４０の一例のイメージ図である。
【図５】外寸法線作成処理の手順を表した一例のフローチャート（１／２）である。
【図６】外寸法線作成処理の手順を表した一例のフローチャート（２／２）である。
【図７】作業テーブルの一例の構成図である。
【図８】線情報テーブルの一例の構成図である。
【図９】複数の交点の中から入力線の開始点および終了点に最も近い交点をそれぞれ選択する処理のイメージ図である。
【図１０】選択した交点を基準として外寸法線を仮表示する処理のイメージ図である。
【図１１】開始点および終了点の中心点からの距離差が同程度の交点を選択する処理の一例のフローチャートである。
【図１２】中心点との距離差が同程度の交点を選択する処理のイメージ図である。
【図１３】選択した交点を基準として外寸法線を仮表示する処理のイメージ図である。
【符号の説明】
【００６２】
１１    入力装置
１２    出力装置
１３    ドライブ装置
１４    補助記憶装置
１５    メモリ装置
１６    演算処理装置
１７    インターフェース装置
１８    記録媒体
２１    タブレットタイプの処理端末
３１    ＰＤＡタイプの処理端末
９１ａ〜９１ｃ，１２１ａ〜１２１ｃ    作成済み線
９２，１２２    入力線
９３，１２３    開始点
９４，１２４    終了点
９５ａ〜９５ｃ，１２５ａ〜１２５ｃ    交点
１２６    中心点
【図１】
0004464887.tif 000002
【図２】
0004464887.tif 000003
【図３】
0004464887.tif 000004
【図４】
0004464887.tif 000005
【図５】
0004464887.tif 000006
【図６】
0004464887.tif 000007
【図７】
0004464887.tif 000008
【図８】
0004464887.tif 000009
【図９】
0004464887.tif 000010
【図１０】
0004464887.tif 000011
【図１１】
0004464887.tif 000012
【図１２】
0004464887.tif 000013
【図１３】
0004464887.tif 000014